(57)【要約】【課題】放送電波の受信から受信信号の復号までの一連の処理を行う受信回路を複数系統要しない簡素な構成でありつつも周波数サーチに伴う再生番組の途切れを低減するのに好適な放送受信機を提供すること。【解決手段】放送信号を受信する複数の受信手段と、移動体が複数の電波塔の放送可能範囲の境界付近のエリアに位置するか否かを判定する境界エリア判定手段と、境界エリア判定手段によりエリアに位置すると判定された場合に、複数の電波塔から送信される送信周波数が異なる少なくとも二種類の放送信号を複数の受信手段に受信させ、受信された少なくとも二種類の周波数の放送信号を混成させて合成ダイバーシティ処理を行う合成ダイバーシティ制御手段とを有する放送受信機を提供する。【選択図】図３
2010136256.tif 000002
【特許請求の範囲】
【請求項１】
放送信号を受信して合成ダイバーシティ処理を行う移動体搭載型の放送受信機において、
放送信号を受信する複数の受信手段と、
前記移動体が複数の電波塔の放送可能範囲の境界付近のエリアに位置するか否かを判定する境界エリア判定手段と、
前記境界エリア判定手段により前記エリアに位置すると判定された場合に、前記複数の電波塔から送信される送信周波数が異なる少なくとも二種類の放送信号を前記複数の受信手段に受信させ、受信された少なくとも二種類の周波数の放送信号を混成させて合成ダイバーシティ処理を行う合成ダイバーシティ制御手段と、
を有することを特徴とする放送受信機。
【請求項２】
前記合成ダイバーシティ制御手段は、受信品質が最も高品質な周波数の放送信号と、受信品質が二番目に高品質な周波数の放送信号を前記複数の受信手段に受信させ、当該二種類の放送信号を混成させて合成ダイバーシティ処理を行うことを特徴とする、請求項１に記載の放送受信機。
【請求項３】
前記合成ダイバーシティ制御手段は、前記境界エリア判定手段により前記エリアに位置しないと判定された場合には、受信品質が最も高品質な周波数の放送信号を前記複数の受信手段に受信させ、当該一種類の放送信号を用いて合成ダイバーシティ処理を行うことを特徴とする、請求項１又は請求項２の何れかに記載の放送受信機。
【請求項４】
前記複数の受信手段の各々における放送信号の受信品質を監視する受信品質監視手段をさらに有し、
前記合成ダイバーシティ制御手段は、少なくとも二種類の周波数の放送信号を混成させて合成ダイバーシティ処理を行う間に、前記複数の受信手段の何れかにおける放送信号の受信品質が所定の閾値以上の値に達したとき、当該値に達した一種類の周波数の放送信号を用いて合成ダイバーシティ処理を行うことを特徴とする、請求項１から請求項３の何れかに記載の放送受信機。
【請求項５】
所定の操作を受け付ける操作手段をさらに有し、
前記境界エリア判定手段は、前記操作手段が前記所定の操作を受け付けたとき、前記移動体が複数の電波塔の放送可能範囲の境界付近のエリアに位置するか否かを判定することを特徴とする、請求項１から請求項４の何れかに記載の放送受信機。
【請求項６】
前記境界エリア判定手段は、放送信号に含まれるＮＩＴ（Network Information Table）に基づき、前記移動体が複数の電波塔の放送可能範囲の境界付近のエリアに位置するか否かを判定することを特徴とする、請求項１から請求項５の何れかに記載の放送受信機。
【請求項７】
前記複数の電波塔から送信される各送信周波数の放送信号の受信品質を比較する受信品質比較手段をさらに有し、
前記境界エリア判定手段は、前記受信品質比較手段による比較結果に基づき、前記移動体が複数の電波塔の放送可能範囲の境界付近のエリアに位置するか否かを判定することを特徴とする、請求項１から請求項６の何れかに記載の放送受信機。
【発明の詳細な説明】
【技術分野】
【０００１】
この発明は、放送信号を受信して合成ダイバーシティ処理を行う移動体搭載型の放送受信機に関連し、詳しくは、放送電波の受信から受信信号の復号までの一連の処理を行う受信回路を複数系統要しない簡素な構成でありつつも周波数サーチに伴う再生番組の途切れを低減するのに好適な放送受信機に関する。
【背景技術】
【０００２】
近年、音響機器や映像機器等において音声や映像をデジタル形式で処理、管理することが一般化している。このような音響機器等における音声や映像のデジタル符号化の趨勢は放送関連業界にも波及している。現在、放送関連業界では地上波アナログテレビ放送から地上波デジタルテレビ放送への移行が段階的に進められている。地上波デジタルテレビ放送を受信する放送受信機は、例えば据え置き型のテレビ受像機やテレビチューナ付きＰＣだけでなく、自動車等の移動体に車載される車載器や携帯電話端末等にも搭載され広く普及している。
【０００３】
地上波デジタルテレビ放送においては、一つの放送局が広範囲の放送エリアをカバーするため、放送エリア内に複数の電波塔が設置されている。一つの放送局がカバーすべき放送エリアが持つ各電波塔は、具体的には、放送電波を送信可能な放送可能範囲の境界付近のエリアが隣接する電波塔の放送可能範囲の境界付近のエリアと一部重複するように間隔をもって設置されている。各電波塔は、番組（サービス）を送信する送信周波数が隣接する電波塔と異なるものの、同一内容の番組を送信している。以下、説明の便宜上、「電波塔の放送可能範囲の境界付近のエリア」を「放送境界エリア」と記す。
【０００４】
ところで、電波塔が送信する放送電波は該電波塔から離れるほど減衰するため、放送境界エリアにおける放送電波の強度は一般的には弱い。そのため、例えば放送受信機を車載する移動体が放送境界エリアを走行しているときには、該放送受信機が受信する放送電波の受信品質が劣化して、番組が再生されないことがある。このような番組再生エラーを生じさせないため、一般的な車載型放送受信機は、放送電波の受信品質の劣化を検知した時に、同一内容の番組を放送する放送電波のなかから、受信品質がより良好な周波数をサーチして受信品質の改善を図るように構成されている。
【０００５】
このような放送受信機は例えば特許文献１に開示されている。特許文献１に記載の放送受信機は、放送境界エリア走行時における放送電波の受信品質の劣化を低減すべく、ナビゲーション装置と連係して動作する。具体的には、当該放送受信機には、ナビゲーション装置からナビゲーション情報（自車位置、自車位置に近い放送局およびその位置、これらの放送局との放送エリア境界情報等）が入力される。放送受信機は、ナビゲーション情報に基づき放送境界エリアへの進入を検知したとき、二系統の受信回路の各々を用いて二基の電波塔が送信する、周波数が異なる別個の放送電波を受信する。該放送受信機は、受信された各放送電波の受信品質を比較して、受信品質がより良好な放送電波の信号を用いて番組の再生を行うように構成されている。
【特許文献１】特開２００１−２５１２２９号公報
【発明の開示】
【発明が解決しようとする課題】
【０００６】
しかし、特許文献１に記載の放送受信機には、放送電波の受信から受信信号の復号までの一連の処理を行う受信回路を二系統必要とするため、構成が複雑化すると共に製造コストが増加する欠点がある。一方、特許文献１よりも回路構成を簡素化すべく例えば復号処理を行う回路を一系統にした場合には、放送境界エリアを走行中に生じる周波数サーチに伴い、再生番組が頻繁に途切れる問題が度々指摘されている。
【０００７】
本発明はこのような事情に鑑みてなされたものであり、その目的とするところは、放送電波の受信から受信信号の復号までの一連の処理を行う受信回路を複数系統要しない簡素な構成でありつつも周波数サーチに伴う再生番組の途切れを低減するのに好適な放送受信機を提供することにある。
【課題を解決するための手段】
【０００８】
上記の課題を解決する本発明の一形態に係る放送受信機は、放送信号を受信して合成ダイバーシティ処理を行う移動体搭載型放送受信機であり、以下の特徴を有する。すなわち、かかる放送受信機は、放送信号を受信する複数の受信手段と、移動体が複数の電波塔の放送可能範囲の境界付近のエリアに位置するか否かを判定する境界エリア判定手段と、境界エリア判定手段によりエリアに位置すると判定された場合に、複数の電波塔から送信される送信周波数が異なる少なくとも二種類の放送信号を複数の受信手段に受信させ、受信された少なくとも二種類の周波数の放送信号を混成させて合成ダイバーシティ処理を行う合成ダイバーシティ制御手段とを有することを特徴としている。
【０００９】
このような構成によれば、少なくとも二種類の周波数の放送信号の何れか一方の受信品質が劣化した場合であっても、残りの周波数の放送信号の受信品質が改善するため、合成ダイバーシティ処理された信号の品質が良好である場合が多い。そのため、放送境界エリアにおいて何れかの電波塔の放送信号の受信品質が劣化しても、再生中の番組が途切れ難くなる。すなわち、本発明に係る放送受信機によれば、最適な受信品質に対応する周波数が頻繁に変わったとしても、周波数サーチを頻発させて番組再生の途切れを生じさせることなく、該番組が継続的に再生されるようになる。また、周波数サーチの実行回数自体を削減することにより、放送電波の受信から受信信号の復号までの一連の処理を行う受信回路を複数系統要しない簡素な構成でありつつ、放送境界エリア走行時においても番組の継続的な再生を可能としている。
【００１０】
ここで、合成ダイバーシティ制御手段は、受信品質が最も高品質な周波数の放送信号と、受信品質が二番目に高品質な周波数の放送信号を複数の受信手段に受信させ、当該二種類の放送信号を混成させて合成ダイバーシティ処理を行う構成としてもよい。
【００１１】
また、合成ダイバーシティ制御手段は、好ましくは、境界エリア判定手段によりエリアに位置しないと判定された場合には、受信品質が最も高品質な周波数の放送信号を複数の受信手段に受信させ、当該一種類の放送信号を用いて合成ダイバーシティ処理を行うように構成される。
【００１２】
本発明に係る放送受信機は、複数の受信手段の各々における放送信号の受信品質を監視する受信品質監視手段をさらに有する構成としてもよい。かかる構成の場合に、合成ダイバーシティ制御手段は、少なくとも二種類の周波数の放送信号を混成させて合成ダイバーシティ処理を行う間に、複数の受信手段の何れかにおける放送信号の受信品質が所定の閾値以上の値に達したとき、当該値に達した一種類の周波数の放送信号を用いて合成ダイバーシティ処理を行う構成であってもよい。
【００１３】
本発明に係る放送受信機は、所定の操作を受け付ける操作手段をさらに有する構成としてもよい。かかる構成の場合に、境界エリア判定手段は、操作手段が所定の操作を受け付けたとき、移動体が複数の電波塔の放送可能範囲の境界付近のエリアに位置するか否かを判定するように構成されてもよい。
【００１４】
境界エリア判定手段は、例えば放送信号に含まれるＮＩＴ（Network Information Table）に基づき、移動体が複数の電波塔の放送可能範囲の境界付近のエリアに位置するか否かを判定する。
【００１５】
本発明に係る放送受信機は、複数の電波塔から送信される各送信周波数の放送信号の受信品質を比較する受信品質比較手段をさらに有する構成としてもよい。かかる構成の場合に、境界エリア判定手段は、受信品質比較手段による比較結果に基づき、移動体が複数の電波塔の放送可能範囲の境界付近のエリアに位置するか否かを判定する。
【発明の効果】
【００１６】
本発明によれば、放送電波の受信から受信信号の復号までの一連の処理を行う受信回路を複数系統要しない簡素な構成でありつつも周波数サーチに伴う再生番組の途切れを低減するのに好適な放送受信機が提供される。
【発明を実施するための最良の形態】
【００１７】
以下、図面を参照して、本発明の実施形態の放送受信機の構成および動作について説明する。
【００１８】
図１は、本実施形態の放送受信機１００の外観を概略的に示す斜視図である。図２は、本実施形態の放送受信機１００の概略構成を示すブロック図である。図２に示されるように、放送受信機１００は、複数のアンテナの各々によって受信された放送電波の信号を合成してエラーの少ない高品質な信号が得られる合成ダイバーシティ処理を行って番組を再生するように構成された地上波デジタルテレビ用受像器である。本実施形態において例示される放送受信機１００は、移動体に搭載される、地上波デジタルテレビ専用の車載型受像器であるが、別の実施形態ではカーナビゲーション装置に組み込まれる構成要素であってもよく、或いは簡易型ナビゲーション装置であるＰＮＤ（Personal Navigation Device）や携帯電話端末等の移動体端末に実装されたものとしてもよい。
【００１９】
放送受信機１００は、放送受信機全体を統括的に制御するシステムコントローラ１０を有している。システムコントローラ１０は、ＣＰＵ（Central Processing Unit）、ＲＯＭ（Read-Only Memory）、ＲＡＭ（Random Access Memory）および周辺回路等が組み込まれたマイクロコンピュータである。ＣＰＵは、放送受信機１００の電源投入後、必要なハードウェアにアクセスする。例えば放送受信機１００の電源投入直後、ＣＰＵは、ＲＯＭにアクセスして、地図表示プログラムをはじめとするナビゲーションに必要な各種プログラムをＲＡＭにロードする。これにより、放送受信機１００の各要素が各種プログラムに従った動作をする。
【００２０】
図１に示されるように、放送受信機１００は、ユーザインタフェースとして操作部５０を有している。操作部５０は、選局操作ボタン５１、５２、およびチェックボタン５３を含む各種操作を行うための操作ボタンを複数有している。ユーザは、例えば選局操作ボタン５１、５２を操作して、視聴したい番組を選局することができる。選局された番組は、以下に説明される、放送受信機１００が有する各要素の動作を経て再生される。
【００２１】
放送受信機１００は、合成ダイバーシティ処理に必要な四本のアンテナ１１、２１、３１、４１を有している。アンテナ１１、２１、３１、４１はそれぞれ、放送エリアに設置された電波塔から送信される放送電波を受信して、第一周波数選択装置１２、第二周波数選択装置２２、第三周波数選択装置３２、第四周波数選択装置４２に出力する。各周波数選択装置は、システムコントローラ１０の制御下で選局チャンネルに応じたＰＬＬ（Phase Locked Loop）動作をして、受信された放送電波から選局チャンネルのＲＦ（Radio Frequency）信号を得る。各周波数選択装置は、得られたＲＦ信号をフィルタリング等の信号処理に適したＩＦ（Intermediate Frequency）信号に周波数変換する。
【００２２】
地上波デジタルテレビ放送の伝送方式には、周波数利用効率が高いと共にマルチパスフェージングに耐性のあるＯＦＤＭ（Orthogonal Frequency Division Multiplexing）が使用されている。第一周波数選択装置１２、第二周波数選択装置２２、第三周波数選択装置３２、第四周波数選択装置４２はそれぞれ、ＯＦＤＭ復調された放送信号を復調させるべく、周波数変換により得られたＩＦ信号を第一ＯＦＤＭデコーダ１３、第二ＯＦＤＭデコーダ２３、第三ＯＦＤＭデコーダ３３、第四ＯＦＤＭデコーダ４３に出力する。各ＯＦＤＭデコーダは、各周波数選択装置から入力されるＩＦ信号を復調してサブキャリア毎の情報を復元し、合成ダイバー装置４に出力する。
【００２３】
合成ダイバー装置４は、各ＯＦＤＭデコーダから入力されるサブキャリア成分毎に最大比合成を行ってデジタル復号処理をし、ＴＳ（Transport Stream）信号を得てＭＰＥＧ（Moving Picture Experts Group）デコーダ５に出力する。ＭＰＥＧデコーダ５は、合成ダイバー装置４から入力されるＴＳ信号を解析してビデオストリーム、オーディオストリーム等の各ストリームデータに分離、再構築する。ＭＰＥＧデコーダ５は、映像ストリームを映像信号処理部６に、音声ストリームを音声信号処理部８にそれぞれ出力する。
【００２４】
また、ＭＰＥＧデコーダ５は、ＴＳ信号を解析したときにＮＩＴを得て、システムコントローラ１０に出力する。ＮＩＴには、移動体が現在属する放送エリア内で選局チャンネルと同一内容の番組を送信している全ての電波塔の送信周波数や、当該番組を放送する放送局のネットワークＩＤ、変調方式等の放送の伝送路に関する情報が含まれている。ＮＩＴ中に複数の送信周波数で同一ネットワークＩＤが検出された場合、移動体が現在属する放送エリア内で送信周波数が異なる複数の電波塔から同一内容の番組が送信されていることを表している。
【００２５】
映像信号処理部６は、ＭＰＥＧデコーダ５から入力されるビデオストリームに所定のビデオ信号処理を行ってディスプレイ７に出力する。音声信号処理部８は、ＭＰＥＧデコーダ５から入力されるオーディオストリームに所定のオーディオ信号処理を行ってスピーカ９に出力する。以上の信号処理を経て、選局されている地上波デジタルテレビ放送が再生される。
【００２６】
ところで、例えば移動体が放送境界エリアを走行しているときに、放送受信機が受信する放送電波の受信品質が劣化することは、先に述べた通りである。システムコントローラ１０は、放送電波の受信品質を監視するため、各ＯＦＤＭデコーダから個別のＣ／Ｎ値を所定の周期でサンプリングしている。システムコントローラ１０は、サンプリングされた各ＯＦＤＭデコーダの個別のＣ／Ｎ値をＲＡＭに保持して、一定時間における個別のＣ／Ｎ値の平均値を計算している。また、システムコントローラ１０は、個別平均Ｃ／Ｎ値の場合と同じく、合成ダイバー装置４により最大比合成された信号のＣ／Ｎ値も所定の周期でサンプリングしている。システムコントローラ１０は、サンプリングされた最大比合成後の信号のＣ／Ｎ値をＲＡＭに保持して、一定時間における該信号のＣ／Ｎ値の平均値も計算している。以下、説明の便宜上、「個別のＣ／Ｎ値の平均値」、「最大比合成後の信号のＣ／Ｎ値の平均値」をそれぞれ、「個別平均Ｃ／Ｎ値」、「合成平均Ｃ／Ｎ値」と記す。
【００２７】
システムコントローラ１０は、合成平均Ｃ／Ｎ値を監視して該Ｃ／Ｎ値が第一の閾値を下回ったとき、放送電波の受信品質が劣化して復号エラーが発生し易くなったと判断する。システムコントローラ１０は、受信品質の改善を図るべく、ＮＩＴを参照して、放送エリア内で選局チャンネルと同一内容の番組を放送する放送電波のなかから受信品質が改善する周波数をサーチする。しかし、この場合、先に述べた問題、つまり周波数サーチに伴う再生番組の途切れが生じ易くなる問題が発生する。かかる問題の発生を低減するため、システムコントローラ１０は、本実施形態の特徴的処理である混成ダイバー処理を実行する。
【００２８】
図３は、システムコントローラ１０が実行する混成ダイバー処理のフローチャート図である。システムコントローラ１０は、チェックボタン５３の操作をトリガーとして混成ダイバーモードに移行して、混成ダイバー処理を実行する。ここで、チェックボタン５３が操作されるタイミングの典型例としては、例えば再生番組が一瞬でも途切れて、ユーザが地上波デジタルテレビ放送の快適な視聴を妨げられたと感じた時である。なお、図３のフローチャート図および以下の説明において、ステップを「Ｓ」と略記する。
【００２９】
システムコントローラ１０は、チェックボタン５３の操作を検知すると、例えば放送電波の受信モードが混成ダイバーモードに移行したことを示すアイコン又はメッセージをディスプレイ７に表示させる。かかるアイコン又はメッセージは、図３の混成ダイバー処理を実行中ディスプレイ７に継続して表示される。
【００３０】
システムコントローラ１０は、混成ダイバーモードに移行すると、ＮＩＴを参照して、移動体が現在属する放送エリア内で選局チャンネルと同一内容の番組を送信する、送信周波数が異なる複数の電波塔が存在するかを検知する（Ｓ１）。システムコントローラ１０は、放送エリア内で選局チャンネル以外に同一内容の番組を送信する周波数が存在しない場合には（Ｓ１：ＮＯ）、走行中のエリアが通常エリアであると判断してＳ２の処理に進む。
【００３１】
ここで通常エリアとは、マルチパスフェージング等の突発的な誤差要因が生じさえしなければ受信品質が良好な一つの周波数が伝送されているエリアをいい、例えば一基の電波塔が放送可能な全範囲から放送境界エリアを除いたエリアである。別の表現によれば、通常エリアとは、放送エリア内で同一内容の番組を送信している周波数が一つしか存在しないエリアであり、或いは該周波数が複数存在するものの、そのうちの一つの周波数の受信品質が他の全ての周波数の受信品質より遙かに高品質なエリアである。
【００３２】
システムコントローラ１０は、放送エリア内で選局チャンネル以外にも同一内容の番組を送信する周波数が存在する場合には（Ｓ１：ＹＥＳ）、Ｓ３に処理を進める。Ｓ３の処理においてシステムコントローラ１０は、放送エリア内で同一内容の番組を放送する周波数それぞれについての合成平均Ｃ／Ｎ値を計算する。次いで、システムコントローラ１０は、計算された合成平均Ｃ／Ｎ値が最も高い受信周波数と二番目に高い受信周波数とを比較して、これらの合成平均Ｃ／Ｎ値の差が所定値以上であるか否かを判定する（Ｓ４）。
【００３３】
システムコントローラ１０は、二つの合成平均Ｃ／Ｎ値の差が所定値以上である場合には（Ｓ４：ＹＥＳ）、走行中のエリアが通常エリアであると判断して処理をＳ２に進める。一方、システムコントローラ１０は、二つの合成平均Ｃ／Ｎ値の差が所定値未満である場合、つまり互いの受信品質の差が小さい又は受信品質が同程度の周波数が少なくとも二つ存在する場合には（Ｓ４：ＮＯ）、走行中のエリアが放送境界エリアであると判断して処理をＳ５に進める。
【００３４】
システムコントローラ１０は、走行中のエリアが通常エリアであると判断した場合には、合成平均Ｃ／Ｎ値が最も高い一つの受信周波数（後述の受信周波数ｆ１）を選局チャンネルに設定して、第一から第四の全ての周波数選択装置１２、２２、３２、４２を制御する（Ｓ２）。次いでシステムコントローラ１０は、合成平均Ｃ／Ｎ値を監視して、該Ｃ／Ｎ値が一定時間継続して第一の閾値以上であるかを検知する（Ｓ６）。
【００３５】
システムコントローラ１０は、合成平均Ｃ／Ｎ値が一定時間経過する前に第一の閾値を下回った場合には（Ｓ６：ＮＯ）、移動体が放送境界エリアに進入した可能性があるため、Ｓ１に処理を戻す。一方、システムコントローラ１０は、合成平均Ｃ／Ｎ値が一定時間継続して第一の閾値以上であった場合には（Ｓ６：ＹＥＳ）、走行中のエリアが通常エリアであることを保証できると判断して図３の混成ダイバー処理を終了させ、混成ダイバーモードから従前のモードに自動的に復帰する。なお、システムコントローラ１０は、Ｓ２の処理において合成平均Ｃ／Ｎ値が最も高い受信周波数を選局チャンネルとして設定した後Ｓ６の処理を実行すること無く図３の混成ダイバー処理を終了させる、つまり選局チャンネル設定後、即時に混成ダイバーモードから従前のモードに復帰するようにしてもよい。
【００３６】
システムコントローラ１０は、走行中のエリアが放送境界エリアであると判断した場合には、Ｓ３の処理で計算された合成平均Ｃ／Ｎ値が最も高い受信周波数をｆ１として登録し、当該値が２番目に高い受信周波数をｆ２として登録する（Ｓ５）。
【００３７】
次いで、システムコントローラ１０は、受信周波数ｆ１とｆ２の混成ダイバーシティ処理を行う（Ｓ７）。具体的には、システムコントローラ１０は、四つの周波数選択装置のうち少なくとも一つの周波数選択装置を受信周波数ｆ１に同調させると共に残りの周波数選択装置を受信周波数ｆ２に同調させる。ここでは例えば第一周波数選択装置１２と第二周波数選択装置２２が受信周波数ｆ１に同調されて、第三周波数選択装置３２と第四周波数選択装置４２が受信周波数ｆ２に同調される。その結果、合成ダイバー装置４は、受信周波数ｆ１の放送信号と受信周波数ｆ２の放送信号とが混成された最大比合成を行う。
【００３８】
混成ダイバーシティ処理実行中は、受信周波数ｆ１又はｆ２の何れか一方の受信品質が劣化して個別平均Ｃ／Ｎ値が低下した場合であっても、もう一方の受信周波数の受信品質が改善して、合成ダイバー装置４から出力される合成平均Ｃ／Ｎ値が比較的良好な値である場合が多い。そのため、受信周波数ｆ１又はｆ２の何れか一方の受信品質が劣化しても、再生中の番組が途切れ難くなる。別の表現によれば、放送受信機１００は、最適な受信品質に対応する周波数がｆ１又はｆ２に頻繁に変わったとしても、周波数サーチを頻発させて番組再生の途切れを生じさせることなく、該番組を継続的に再生できるようになる。
【００３９】
システムコントローラ１０は、混成ダイバーシティ処理実行中、第一から第四のＯＦＤＭデコーダの何れか一つの個別平均Ｃ／Ｎ値が第二の閾値に達したか否かを検知する（Ｓ８）。システムコントローラ１０は、何れか一つの個別平均Ｃ／Ｎ値が第二の閾値にした場合には（Ｓ８：ＹＥＳ）、放送電波の受信品質が十分な品質に達したため、移動体が通常エリアに復帰したと判断して処理をＳ２に進める。この場合、Ｓ２の処理においてシステムコントローラ１０は、個別平均Ｃ／Ｎ値が最も高い一つの（或いは周波数ｆ１、ｆ２それぞれの合成平均Ｃ／Ｎ値を再計算し、合成平均Ｃ／Ｎ値が高い方の）受信周波数を選局チャンネルに設定して、第一から第四の全ての周波数選択装置１２、２２、３２、４２を制御する。
【００４０】
このように、本実施形態の放送受信機１００は、放送電波の受信から受信信号の復号までの一連の処理を行う受信回路を複数系統要しない簡素な構成でありつつも周波数サーチに伴う再生番組の途切れを低減するのに好適な構成を有している。
【００４１】
以上が本発明の実施形態および該実施形態の具体的実施例の説明である。本発明は、上記の構成に限定されるものではなく、本発明の技術的思想の範囲において様々な変形が可能である。例えば放送受信機１００が有するアンテナの本数は四本に限らず、二本又は三本或いは五本以上であってもよい。
【００４２】
本実施形態の放送受信機１００は、ｆ１とｆ２の二種類の周波数を混成させて混成ダイバーシティ処理を行っているが、三種類以上の周波数を混成させて混成ダイバーシティ処理を行うようにしてもよい。
【図面の簡単な説明】
【００４３】
【図１】本発明の実施形態の放送受信機の外観を概略的に示す斜視図である。
【図２】本発明の実施形態の放送受信機の概略構成を示すブロック図である。
【図３】本発明の実施形態のシステムコントローラが実行する混成ダイバー処理のフローチャート図である。
【符号の説明】
【００４４】
１１、２１、３１、４１  アンテナ
１２  第一周波数選択装置
２２  第二周波数選択装置
３２  第三周波数選択装置
４２  第四周波数選択装置
１３  第一ＯＦＤＭデコーダ
２３  第二ＯＦＤＭデコーダ
３３  第三ＯＦＤＭデコーダ
４３  第四ＯＦＤＭデコーダ
４  合成ダイバー装置
５  ＭＰＥＧデコーダ
６  映像信号処理部
７  ディスプレイ
８  音声信号処理部
９  スピーカ
１０  システムコントローラ
５０  操作部
５１、５２  選局操作ボタン
５３  チェックボタン
１００  放送受信機
【図１】
2010136256.tif 000003
【図２】
2010136256.tif 000004
【図３】
2010136256.tif 000005